(57)【要約】      （修正有）【課題】海洋の風波に耐え得る構造体を設けるにあたり、特殊な材料を用いて構築する魚類養成用生け簀を提供する。【解決手段】上面視で円弧状に形成され、両端部にそれぞれジョイント枠２を有する筏部材１を複数組み設け、これら筏部材１の各ジョイント枠２を連結・固定して環状筏本体Ｘを設け、該筏部材１は、上部に歩行通路を設けると共に、下部に、フロート４を設け、該歩行通路とフロート４との間には、上面部、側面部、底面部とを、棒状の鉄鋼を用いてラチスに形成する。【選択図】図１
0003182992.tif 000002
【実用新案登録請求の範囲】
【請求項１】
上面視で円弧状に形成され、両端部にそれぞれジョイント枠（２）を有する筏部材（１）を複数組み設け、これら筏部材（１，・・）の各ジョイント枠（２）をそれぞれ連結・固定して環状筏本体（Ｘ）を設け、該筏部材（１）は、上部に歩行通路（３）を設けると共に、下部に、フロート（４）を設け、該歩行通路（３）とフロート（４）との間には、上面部材（５ａ）、側面部材（５ｂ）、底面部材（５ｃ）とを、棒状の鋼材を用いてラチスに形成して構成したことを特徴とする魚類養成用生け簀。
【請求項２】
ジョイント枠（２）を、逆台形状に形成したことを特徴とする請求項１記載の魚類養成用生け簀。
【請求項３】
筏部材（１）と、フロート（４）とは、フロート受け具（６）を介して着・脱可能に固定することを特徴とする請求項１記載の魚類養成用生け簀。
【請求項４】
フロート受け具（６）が、フロート（４）の周面形状に沿う湾曲状に形成した板材か、湾曲状に形成した棒状の鋼材から選ばれたものであることを特徴とする請求項１または３記載の魚類養成用生け簀。
【請求項５】
上面部材（５ａ）、側面部材（５ｂ）、底面部材（５ｃ）とを構成する棒状の鋼材が、塩害処理・波浪処理を施していることを特徴とする請求項１記載の魚類養成用生け簀。
【請求項６】
歩行通路（３）の素材が、ラスであることを特徴とする請求項１記載の魚類養成用生け簀。
【請求項７】
歩行通路（３）のラスが、メタルラス、ワイヤラス、リブラスから選ばれたものであることを特徴とする請求項６記載の魚類養成用生け簀。
【考案の詳細な説明】
【技術分野】
【０００１】
この考案は、魚類養成用の生け簀に関するものであり、特に、クロマグロの養成用の生け簀に関するものである。
【背景技術】
【０００２】
従来、漁業も採取から生け簀での養成の時代に代わり、海洋に設置する生け簀にて育成されている。
【０００３】
生け簀に関する従来技術として、湾港・漁港などの水域に設けるいけす機能を有する水域構造物は存在している。例えば、特許文献１のように。
【先行技術文献】
【特許文献】
【０００４】
【特許文献１】特開２００４−２７８１３０号公報
【０００５】
しかし、この技術では、大型の生け簀を設けるには船舶の通行の妨げとなり、沖合等に設置する場合の方がよい。
【０００６】
さらに、沖合に設置すれば、海洋の風波に耐えうる構造体であることが必須である。
【考案の概要】
【考案が解決しようとする課題】
【０００７】
そこで、この考案は、海洋の風波に耐え得る構造体を設けるにあたり、特殊な材料を用いて構築する魚類養成用生け簀を提供・開発するものである。
【課題を解決するための手段】
【０００８】
上記の課題を解決するため、この考案は、従来の鋼管材に代えて、棒状鉄鋼（以下、棒鋼という）を素材として用いる、クロマグロ等の魚類養成用生け簀である。
【考案の効果】
【０００９】
この考案によると、筏本体（Ｘ）を、個々を上面視で円弧状の筏部材（１）を連結・固定して環状筏本体（Ｘ）としており、さらに、これら筏部材（１）は、上部に歩行通路（２）を設けると共に、下部に、フロート（３）を設けており、これらは海上で組み立て・組み外しが可能である等の効果を奏する。
【００１０】
また、筏本体（Ｘ）の断面形状は、逆台形状に形成して構成しているため、歩行通路（２）の幅を広くとることが出来、歩行し易く、かつ安全である等の効果を生ずるものである。
【００１１】
さらに、筏部材（１）は、棒状の鋼材を使用しており、風の抵抗が少なく、溶接性、柔軟性に富み、内部腐食がなく、極めて耐久性を有する等の効果も奏する。
【００１２】
溶融亜鉛メッキに適した成分であるため、極厚メッキ量が付着し、耐食性が増大する等の極めて有益なる効果を奏する。
【図面の簡単な説明】
【００１３】
【図１】この考案の一実施例を示す組み立てられた筏本体であって、（Ａ）は、平面図、（Ｂ）は、側面図である。
【図２】この考案の一実施例を示す筏本体に、生け簀網を装着した状態を示す側面図である。
【図３】この考案の一実施例を示す筏部材の拡大断面図である。
【図４】この考案の一実施例を示す筏部材のジョイント枠の拡大側面図である。
【図５】この考案の一実施例を示す筏部材の平面図である。
【図６】この考案の一実施例を示す筏部材の一部欠截側面図である。
【考案を実施するための形態】
【００１４】
以下、この考案について詳細に説明する。尚、この考案においては、以下の記述に限定されるものではなく、この考案の要旨を逸脱しない範囲においては適宜変更可能である。
【実施例】
【００１５】
次に、この考案の一実施例を図面に従って詳述すると、上面視で円弧状に形成され、両端部にそれぞれジョイント枠（２）を有する筏部材（１）を複数組み設け、これら筏部材（１，・・）の各ジョイント枠（２）を連結・固定して環状筏本体（Ｘ）を設け、該筏部材（１）は、上部に歩行通路（３）を設けると共に、下部に、フロート（４）を設け、
該歩行通路（３）とフロート（４）との間には、上面部材（５ａ）、側面部材（５ｂ）、底面部材（５ｃ）とを、それぞれ棒状の鋼材を用いてラチスに形成して構成したことを特徴とする魚類養成用生け簀から構成されるものである。
【００１６】
そして、ジョイント枠（２）の具体的な形状は、複数のボルト穴を形成したフランジ材（山形鋼）を用いて逆台形状に形成したものであり、このジョイント枠（２）で隣接の筏部材（１）とをボルト・ナット等の固定部材（２ａ）を用いて堅牢に連結・固定するものである。
【００１７】
さらに、筏部材（１）と、フロート（４）とは、フロート受け具（６）を介して着・脱可能に固定するよう構成したものであり、該フロート受け具（６）は、フロート（４）の周面形状に沿う湾曲状に形成した板材とするか、あるいは、湾曲状に形成した棒状の鉄鋼（Ｙ）で鞍状に形成したものであってもよい。
【００１８】
棒状の鋼材は、溶接性、柔軟性に富む素材であり、溶融亜鉛メッキに適した成分であり、極厚メッキ量が付着することにより塩害の処理を施したものであり、その他、防錆塗料等を用たりするものである。
【００１９】
さらに、前記棒状の鉄鋼を、筏部材（１）の平面部材、側面部材、そして底面部材にラチスに形成して構成することにより、波浪処理も施しているものである。
【００２０】
歩行通路（３）の素材にはラスを用いることにより、歩行の安全を守る防滑性を有しており、かつ、海上の風を考慮するため通気性に配慮するよう構成している。
【００２１】
尚、ラスにも種類があるが、その一例として、メタルラス、ワイヤラス、リブラス等え考えられ、のである魚類養成用生け簀である。
【００２２】
尚、環状の筏本体（Ｘ）は、最大の直径は４０ｍであり、それ以内であれば、１０ｍ，２０ｍ，３０ｍと各種の大きさは生産可能であり、また、筏本体（Ｘ）の下部には、該筏本体（Ｘ）に取り付けられた生け簀網（７）を設けていることは当然である。
【産業上の利用可能性】
【００２３】
この考案によると、魚類養成用生け簀の技術を確立し、実施・販売することにより産業上の利用可能性がある。
【符号の説明】
【００２４】
１  筏部材
２  ジョイント枠
２ａ  固定部材
３  歩行通路
４  フロート
５ａ  上面部材
５ｂ  側面部材
５ｃ  底面部材
６  フロート受け具
７  生け簀網
Ｘ  環状筏本体
【図１】
0003182992.tif 000003
【図２】
0003182992.tif 000004
【図３】
0003182992.tif 000005
【図４】
0003182992.tif 000006
【図５】
0003182992.tif 000007
【図６】
0003182992.tif 000008